(57)【要約】【課題】Ｒ、Ｇ、Ｂのうち、Ｂの半数をＷに置き換えたＲＧＢＷの横ストライプ配列において、ドット反転駆動やピクセル反転駆動とした場合、フリッカが発生し、カラム反転駆動とした場合、極性間における輝度差による視線移動時のスジや、リーク性クロストークによる歩留まり低下の懸念がある。【解決手段】表示装置は、Ｒ、Ｇ、Ｂのうち、Ｂの半数をＷに置き換えたＲＧＢＷの横ストライプ配列とされる。ＲおよびＧの極性が各色で市松配置とされるよう駆動され、間引きを行っているＢおよびＷについては、縦方向または横方向に極性が同じ配置とされるよう駆動される。【選択図】図９Ａ
2015118113.tif 000002
【特許請求の範囲】
【請求項１】
表示装置は、
複数の第１の画素と、
複数の第２の画素と、
を備え、
前記複数の第１の画素のそれぞれは、列方向に配置される赤色の副画素と緑色の副画素と青色の副画素とを有し、
前記複数の第２の画素のそれぞれは、列方向に配置される赤色の副画素と緑色の副画素と白色の副画素とを有し、
前記複数の第１の画素のそれぞれと前記複数の第２の画素のそれぞれとは、行方向および列方向に互いに隣接して配置され、
前記第１および第２の画素の赤色の副画素は同一行に配置され、
前記第１および第２の画素の緑色の副画素は同一行に配置され、
前記第１の画素の青色の副画素と前記第２の画素の白色の副画素は同一行に配置され、
前記第１および第２の画素の赤色の副画素と緑色の副画素の極性が各色で市松配置とされるよう駆動され、
前記第１の画素の青色の副画素と前記第２の画素の白色の副画素については、列方向または行方向に極性が同じ配置とされるよう駆動される。
【請求項２】
請求項１の表示装置において、
前記第１および第２の画素の赤色の副画素および緑色の副画素は、ピクセル反転駆動され、
前記第１の画素の青色の副画素および第２の画素の白色の副画素は、カラム反転駆動される。
【請求項３】
請求項２の表示装置は、さらに、
第１のソース線と、
第２のソース線と、
ドライバＩＣと、
を有し、
前記第１のソース線は前記複数の第１および第２の画素のうちの第１の列に配置される画素に接続され、
前記第２のソース線は前記複数の第１および第２の画素のうちの第２の列に配置される画素に接続され、
前記ドライバＩＣは、
前記第１および第２のソース線に接続される出力回路と、
前記駆動回路に接続される階調電圧生成回路と、
を有する。
【請求項４】
請求項３の表示装置において、
前記出力回路は、
前記第１のソース線に接続される第１の端子と、
前記第２のソース線に接続される第２の端子と、
前記第１および第２の端子に接続されるスイッチと、
前記スイッチに接続される正極アンプと、
前記スイッチに接続される負極アンプと、
前記正極アンプに接続される正極ＤＡ変換器と、
前記正極アンプに接続される正極ＤＡ変換器と、
を備え、
第１の極性信号に基づいて、前記第１および第２のソース線の極性を制御するようにされる。
【請求項５】
請求項４の表示装置において、
前記階調電圧生成回路は、
正極階調生成部と、
負極階調生成部と、
を備え、
第２の極性信号に基づいて、青色画素および白色画素の極性を制御するようにされる。
【請求項６】
表示装置は、
表示領域と、
前記表示領域の外周の周辺領域と、
を備え、
前記表示領域に、
第１の方向に延在する第１、第２、第３、第４、第５および第６のゲート線と、
前記第１の方向と異なる第２の方向に延在する第１および第２のソース線と、
第１の画素と、
前記第１の画素と前記第１の方向に隣接して配置される第２の画素と、
前記第１の画素と前記第２の方向に隣接して配置される第３の画素と、
前記第３の画素と前記第１の方向に隣接して配置される第４の画素と、
を有し、
前記第１の画素は赤色の副画素と緑色の副画素と青色の副画素とを有し、
前記第２の画素は赤色の副画素と緑色の副画素と白色の副画素とを有し、
前記第３の画素は赤色の副画素と緑色の副画素と白色の副画素とを有し、
前記第４の画素は赤色の副画素と緑色の副画素と青色の副画素とを有し、
前記第１および第３の画素は前記第１のソース線に接続され、
前記第２および第４の画素は前記第２のソース線に接続され、
前記第１、第２、第３および第４の画素の赤色の副画素および緑色の副画素は、ピクセル反転駆動され、
前記第１および第４の画素の青色の副画素および前記第２および第３の白色の副画素は、カラム反転駆動される。
【請求項７】
請求項６の表示装置において、
前記第１の画素の赤色の画素と緑色の副画素と青色の副画素との極性は同じであり、
前記第２の画素の赤色の画素と緑色の副画素と白色の副画素との極性は同じであり、
前記第３の画素の赤色の画素および緑色の副画素の極性は、白色の副画素の極性とは異なり、
前記第４の画素の赤色の画素および緑色の副画素の極性は、青色の副画素の極性とは異なるようにされる。
【請求項８】
請求項７の表示装置において、
前記周辺領域に、ドライバＩＣを有し、
前記ドライバＩＣは、
前記第１および第２のソース線に接続される出力回路と、
前記駆動回路に接続される階調電圧生成回路と、
を有する。
【請求項９】
請求項８の表示装置において、
前記出力回路は、
前記第１のソース線に接続される第１の端子と、
前記第２のソース線に接続される第２の端子と、
前記第１および第２の端子に接続されるスイッチと、
前記スイッチに接続される正極アンプと、
前記スイッチに接続される負極アンプと、
前記正極アンプに接続される正極ＤＡ変換器と、
前記正極アンプに接続される正極ＤＡ変換器と、
を備え、
第１の極性信号に基づいて、前記第１および第２のソース線の極性を制御するようにされる。
【請求項１０】
請求項９の表示装置において、
前記階調電圧生成回路は、
正極階調生成部と、
負極階調生成部と、
を備え、
第２の極性信号に基づいて、青色画素および白色画素の極性を制御するようにされる。
【請求項１１】
請求項６から１０のいずれか１項の表示装置において、
前記第１および第２の画素は前記第１、第２および第３のゲート線に接続され、
前記第３および第４の画素は前記第４、第５および第６のゲート線に接続され、
前記第１の画素の青色の副画素と前記第２の画素の白色の副画素とは、前記第３のゲート線に接続され、
前記第３の画素の白色の副画素と前記第４の画素の青色の副画素とは、前記第６のゲート線に接続される。
【請求項１２】
請求項６から１０のいずれか１項の表示装置において、
前記赤色、緑色、青色および白色の副画素は、平面視で、前記第１方向の長さが第２方向の長さよりも長いストライプ状である。
【請求項１３】
請求項６から１０のいずれか１項の表示装置において、
前記表示装置は、平面視で、前記第１方向の長さが第２方向の長さよりも長い矩形状である。
【請求項１４】
請求項６の表示装置において、
前記第１の画素の赤色の画素および緑色の副画素の極性は、青色の副画素の極性とは異なり、
前記第２の画素の赤色の画素および緑色の副画素の極性は、白色の副画素の極性とは異なり、
前記第３の画素の赤色の画素と緑色の副画素と白色の副画素との極性は同じであり、
前記第４の画素の赤色の画素と緑色の副画素と青色の副画素との極性は同じである。
【請求項１５】
請求項１４の表示装置において、
前記周辺領域に、ドライバＩＣを有し、
前記ドライバＩＣは、
前記第１および第２のソース線に接続される出力回路と、
前記駆動回路に接続される階調電圧生成回路と、
を有する。
【請求項１６】
請求項１５の表示装置において、
前記出力回路は、
前記第１のソース線に接続される第１の端子と、
前記第２のソース線に接続される第２の端子と、
前記第１および第２の端子に接続されるスイッチと、
前記スイッチに接続される正極アンプと、
前記スイッチに接続される負極アンプと、
前記正極アンプに接続される正極ＤＡ変換器と、
前記正極アンプに接続される正極ＤＡ変換器と、
を備え、
第１の極性信号に基づいて、前記第１および第２のソース線の極性を制御するようにされる。
【請求項１７】
請求項１６の表示装置において、
前記階調電圧生成回路は、
正極階調生成部と、
負極階調生成部と、
を備え、
第２の極性信号に基づいて、青色画素および白色画素の極性を制御するようにされる。
【請求項１８】
請求項１４から１７のいずれか１項の表示装置において、
前記第１および第２の画素は前記第１、第２および第３のゲート線に接続され、
前記第３および第４の画素は前記第４、第５および第６のゲート線に接続され、
前記第１の画素の青色の副画素と前記第２の画素の白色の副画素とは、前記第３のゲート線に接続され、
前記第３の画素の白色の副画素と前記第４の画素の青色の副画素とは、前記第６のゲート線に接続される。
【請求項１９】
請求項１４から１７のいずれか１項の表示装置において、
前記赤色、緑色、青色および白色の副画素は、平面視で、前記第１方向の長さが第２方向の長さよりも長いストライプ状である。
【請求項２０】
請求項１４から１７のいずれか１項の表示装置において、
前記表示パネルは、平面視で、前記第１方向の長さが第２方向の長さよりも長い矩形状である。
【発明の詳細な説明】
【技術分野】
【０００１】
本開示は、表示装置に関し、例えば、ＲＧＢＷ横ストライプ配列の表示装置に適用可能である。
【背景技術】
【０００２】
液晶表示パネルでは液晶へのＤＣ印加による劣化をさけるため交流化駆動を行う。交流化駆動には、あるフレームにおける各副画素の極性が同一のフレーム反転駆動や、横方向（行方向）に同極性となるライン反転駆動、縦方向（列方向）に同極性となるカラム反転駆動、同極性の画素が市松状となるドット反転駆動、同極性の副画素（サブピクセル）が画素（ピクセル）単位で市松状となるピクセル反転駆動等がある。通常、１画素は、Ｒ（赤色の副画素）、Ｇ（緑色の副画素）、Ｂ（青色の副画素）の３副画素で構成される。
また、液晶表示パネルにおいては用途等によっては高輝度製品の要求が強くなってきているが、輝度を向上させる手段として、特開２００７−４１５５１号公報（特許文献１）に開示されるように、色要素を従来のＲＧＢにＷ（白色の副画素）を加えた方式が提案されている。この方式の１例における各表示画素は２行×３列の６つの副画素で構成され、１行目はＲ、Ｂ、Ｇ、２行目はＧ、Ｗ、Ｒの順にそれぞれ配置されている。
【先行技術文献】
【特許文献】
【０００３】
【特許文献１】特開２００７−４１５５１号公報
【発明の概要】
【発明が解決しようとする課題】
【０００４】
本発明者は、Ｒ、Ｇ、Ｂのうち、Ｂの半数をＷに置き換えたＲＧＢＷの横ストライプ配列において、駆動方式を検討した結果、以下の問題を見出した。
コモン調整等を適切に行っても、正極・負極の輝度差を完全になくすことは難しく、フレーム反転駆動ではフリッカ、ライン反転、カラム反転駆動では視線移動によるスジが問題となる。また、フレーム反転駆動、カラム反転駆動では、映像信号の極性が１フレームで同じ極性であることから容量性、リーク性のクロストークが発生しやすいことから、画質面ではドット反転やピクセル反転駆動が望ましい。
ＲＧＢＷの横ストライプ配列において、ドット反転駆動やピクセル反転駆動とした場合、ＲおよびＧの極性配置がそれぞれ市松状であるのに対し、ＢおよびＷの極性は各々同一極性となってしまうことからフリッカが発生する。
また、ＲＧＢＷの横ストライプ配列において、カラム反転駆動とした場合、極性間における輝度差による視線移動時のスジや、リーク性クロストークによる歩留まり低下の懸念がある。
その他の課題と新規な特徴は、本開示の記述および添付図面から明らかになるであろう。
【課題を解決するための手段】
【０００５】
本開示のうち、代表的なものの概要を簡単に説明すれば、下記のとおりである。
すなわち、表示装置は複数の第１の画素と複数の第２の画素とを備える。前記複数の第１の画素のそれぞれは列方向に配置される赤色の副画素と緑色の副画素と青色の副画素とを有する。前記複数の第２の画素のそれぞれは列方向に配置される赤色の副画素と緑色の副画素と白色の副画素とを有する。前記複数の第１の画素のそれぞれと前記複数の第２の画素のそれぞれとは互いに隣接して配置される。前記第１および第２の画素の赤色の副画素は同一行に配置される。前記第１および第２の画素の緑色の副画素は同一行に配置される。前記第１の画素の青色の副画素と前記第２の画素の白色の副画素は同一行に配置される。前記第１および第２の画素の赤色の副画素と緑色の副画素の極性が各色で市松配置とされるよう駆動され。前記第１の画素の青色の副画素と前記第２の画素の白色の副画素については、縦方向または横方向に極性が同じ配置とされるよう駆動される。
【図面の簡単な説明】
【０００６】
【図１】比較例に係る表示装置の全体構成を示す平面図である。
【図２Ａ】一般的なＲＧＢ横ストライプ配列におけるドット反転駆動（奇数フレーム）を示す図である。
【図２Ｂ】一般的なＲＧＢ横ストライプ配列におけるドット反転駆動（偶数フレーム）を示す図である。
【図３Ａ】比較例に係る表示装置のドット反転駆動（奇数フレーム）を示す図である。
【図３Ｂ】比較例に係る表示装置のドット反転駆動（偶数フレーム）を示す図である。
【図４Ａ】一般的なＲＧＢ横ストライプ配列におけるピクセル反転駆動（奇数フレーム）を示す図である。
【図４Ｂ】一般的なＲＧＢ横ストライプ配列におけるピクセル反転駆動（偶数フレーム）を示す図である。
【図５Ａ】比較例に係る表示装置のピクセル反転駆動（奇数フレーム）を示す図である。
【図５Ｂ】比較例に係る表示装置のピクセル反転駆動（偶数フレーム）を示す図である。
【図６Ａ】実施例に係る表示装置の構成を示す平面図である。
【図６Ｂ】実施例に係る表示装置の画素の配置を示す図である。
【図７】実施例に係るドライバＩＣの構成を示すブロック図である。
【図８】実施例に係るドライバＩＣの出力回路の２出力分の構成を示すブロック図である。
【図９Ａ】実施例に係る疑似ピクセル反転駆動（奇数フレーム）を示す図である。
【図９Ｂ】実施例に係る疑似ピクセル反転駆動（偶数フレーム）を示す図である。
【図９Ｃ】実施例に係る疑似ピクセル反転駆動（奇数フレーム）の動作を示す図である。
【図９Ｄ】実施例に係る疑似ピクセル反転駆動（偶数フレーム）の動作を示す図である。
【図９Ｅ】ＲＧＢ横ストライプ配列におけるピクセル反転駆動（奇数フレーム）の動作を示す図である。
【図１０Ａ】変形例１に係る疑似ピクセル反転駆動（奇数フレーム）を示す図である。
【図１０Ｂ】変形例１に係る疑似ピクセル反転駆動（偶数フレーム）を示す図である。
【図１０Ｃ】変形例１に係る疑似ピクセル反転駆動（奇数フレーム）の動作を示す図である。
【図１１Ａ】変形例２に係る疑似ドット反転駆動（奇数フレーム）を示す図である。
【図１１Ｂ】変形例２に係る疑似ドット反転駆動（偶数フレーム）を示す図である。
【図１１Ｃ】変形例２に係る疑似ドット反転駆動（奇数フレーム）の動作を示す図である。
【図１２Ａ】変形例３に係る疑似ドット反転駆動（奇数フレーム）を示す図である。
【図１２Ｂ】変形例３に係る疑似ドット反転駆動（偶数フレーム）を示す図である。
【図１２Ｃ】変形例３に係る疑似ドット反転駆動（奇数フレーム）の動作を示す図である。
【発明を実施するための形態】
【０００７】
まず、ＲＧＢＷの横ストライプ配列において、ドット反転駆動やピクセル反転駆動とした場合の問題点について、図１〜図５Ｂを参照して説明する。
図１は比較例に係る表示装置の全体構成を示す平面図である。比較例に係る表示装置１０Ｒは、ＲＧＢＷ横ストライプ配列の表示装置である。表示装置１０Ｒは、アレイ基板（ＴＦＴ基板）と対向基板（ＣＦ基板）と液晶層を有する表示パネル１１Ｒを備える。表示装置パネル１１Ｒは、表示領域ＡＲおよび周辺領域ＦＲを有する。表示領域ＡＲには、Ｘ方向にｍ列、Ｙ方向にｎ行の画素と、ｍ本の映像信号線Ｘ（Ｘ１〜Ｘｍ）と、３×ｎ本の走査線Ｙ（Ｙ１〜Ｙ３ｎ）と、がある。表示領域ＡＲにおいて、映像信号線ＸはＹ方向に延在し、走査線ＹはＸ方向に延在する。表示領域ＡＲには、Ｒ、Ｇ、Ｂで構成される第１の画素と、Ｒ、Ｇ、Ｗで構成される第２の画素と、がある。第１の画素の副画素は、Ｙ方向に、Ｒ、Ｇ、Ｂの順に配置される。第２の画素の副画素は、Ｒ、Ｇ、Ｗの順に配置されている。Ｒ、Ｇ、Ｂ、Ｗの各副画素は横方向（Ｘ方向）が縦方向（Ｙ方向）よりも長いストライプ形状である。Ｒは同一走査線に沿ってＸ方向に配置される。Ｇは同一走査線に沿ってＸ方向に配置される。ＢとＷは同一走査線に沿ってＸ方向に交互に配置される。周辺領域ＦＲにはドライバＩＣ（ＤＲＶ）１２ａと走査回路（ＳＣＣ）１２ｂがある。映像信号線ＸはドライバＩＣ１２ａで駆動され、走査線Ｙは走査回路１２ｂで駆動される。ドライバＩＣ１２ａはＣＯＧ等でアレイ基板に実装される。走査回路１２ｂはアレイ基板上に薄膜トランジスタ（ＴＦＴ）で形成される。
【０００８】
（１）ドット反転駆動
図２Ａは一般的なＲＧＢ横ストライプ配列におけるドット反転駆動（奇数フレーム）を示す図である。図２Ｂは一般的なＲＧＢ横ストライプ配列におけるドット反転駆動（偶数フレーム）を示す図である。図３Ａは比較例に係る表示装置のドット反転駆動（奇数フレーム）を示す図である。図３Ｂは比較例に係る表示装置のドット反転駆動（偶数フレーム）を示す図である。
映像信号線Ｘ１、Ｘ２、走査線Ｙ１〜Ｙ６のそれぞれの交点に副画素が配置されている。図２Ａおよび図２Ｂでは、すべての画素は、Ｒ、ＧおよびＢの３つの副画素で構成される（以下、「ＲＧＢピクセル」という。）。図３Ａおよび図３Ｂでは、半数の画素はＲＧＢピクセルであり、残りの半数の画素はＲ、ＧおよびＷの３つの副画素で構成される（以下、「ＲＧＷピクセル」という。）。ＲＧＢピクセルとＲＧＷピクセルは、映像信号線Ｘ１、Ｘ２の延在方向（Ｙ方向）および走査線Ｙ１〜Ｙ６の延在方向（Ｘ方向）のいずれの方向にも交互に配置される。各画素は１本の信号線と３本の走査線に接続される。各副画素は横方向（Ｘ方向）が縦方向（Ｙ方向）よりも長いストライプ形状をしている。図２Ａおよび図２Ｂの画素の配列を、以下、「ＲＧＢ横ストライプ配列」という。以下、図４Ａおよび図４Ｂにおいて、同じである。図３Ａおよび図３Ｂの画素の配列を、以下、「ＲＧＢＷ横ストライプ配列」という。以下、図５Ａ、図５Ｂ、図９Ａ、図９Ｂ、図１０Ａ、図１０Ｂ、図１１Ａおよび図１１Ｂにおいて、同じである。
図２Ａ、図２Ｂ、図３Ａおよび図３Ｂにおいて、Ｒ＋はＲに正極電圧を印加することを意味し、Ｒ−はＲに負極電圧を印加することを意味する。また、Ｇ＋はＧに正極電圧を印加することを意味し、Ｇ−はＧに負極電圧を印加することを意味する。また、Ｂ＋はＢに正極電圧を印加することを意味し、Ｂ−はＢに負極電圧を印加することを意味する。さらに、Ｗ＋はＷに正極電圧を印加することを意味し、Ｗ−はＷに負極電圧を印加することを意味する。以下、図４Ａ、図４Ｂ、図５Ａ、図５Ｂ、図９Ａ、図９Ｂ、図１０Ａ、図１０Ｂ、図１１Ａおよび図１１Ｂにおいて、同じである。
ＲＧＢ横ストライプ配列におけるドット反転駆動は、図２Ａおよび図２Ｂに示すように、副画素毎に極性を変更しており、Ｒ、Ｇ、Ｂ各々について、あるフレームにおける極性配置は市松状となっている。
ＲＧＢＷ横ストライプ配列におけるドット反転駆動は、図３Ａおよび図３Ｂに示すように、Ｂの半分をＷに置き換えている。副画素毎に極性を変更した場合、ＲおよびＧ各々について、あるフレームにおける極性配置は市松状となっている。一方、図３Ａの奇数フレームでは、Ｂはすべて正極性に、Ｗはすべて負極性となる。図３Ｂの奇数フレームでは、Ｂはすべて負極性に、Ｗはすべて正極性となる。すなわち、ＢおよびＷは、あるフレームにおける極性が全て同一となってしまうことから極性間の輝度差によりフリッカが発生してしまう可能性がある。
【０００９】
（２）ピクセル反転駆動
図４Ａは一般的なＲＧＢ横ストライプ配列におけるピクセル反転駆動（奇数フレーム）を示す図である。図４Ｂは一般的なＲＧＢ横ストライプ配列におけるピクセル反転駆動（偶数フレーム）を示す図である。図５Ａは比較例に係る表示装置のピクセル反転駆動（奇数フレーム）を示す図である。図５Ｂは比較例に係る表示装置のピクセル反転駆動（偶数フレーム）を示す図である。
ＲＧＢ横ストライプ配列におけるピクセル反転駆動は、図４Ａおよび図４Ｂに示すように、画素毎に極性を変更しており、ＲＧＢピクセル各々について、あるフレームにおける極性配置は市松状となっている。
ＲＧＢＷ横ストライプ配列におけるピクセル反転駆動は、図５Ａおよび図５Ｂに示すように、Ｂの半分をＷに置き換えている。画素毎に極性を変更した場合、ＲおよびＧ各々について、あるフレームにおける極性配置は市松状となっている。一方、図５Ａの奇数フレームでは、Ｂはすべて正極性に、Ｗはすべて負極性となる。図５Ｂの奇数フレームでは、Ｂはすべて負極性に、Ｗはすべて正極性となる。すなわち、ＢおよびＷは、あるフレームにおける極性が全て同一となってしまうことから極性間の輝度差によりフリッカが発生してしまう可能性がある。
【００１０】
上述したように、ＲＧＢＷ横ストライプ配列において、ドット反転駆動やピクセル反転駆動を行った場合、あるフレームにおけるＢおよびＷの極性が片極性に偏ってしまうため、極性差による輝度変動によりフリッカが発生する可能性がある。
【００１１】
そこで、ＲおよびＧの極性配置とＢおよびＷの極性配置とを変更することによりＲＧＢＷ横ストライプ配列におけるフリッカや視線移動によるスジを抑制する。実施の態様として、ＲおよびＧの極性配置は各色で市松配置とし、間引きを行っているＢおよびＷについては、縦方向または横方向に極性が同じ配置とする。一態様として、ピクセル反転駆動において、ＲおよびＧの極性配置は各色で市松配置とし、ＢおよびＷについては、縦方向に極性が同じ配置とする（以下、「疑似ピクセル反転駆動」という。）。疑似ピクセル反転駆動では、ＲおよびＧはピクセル反転駆動と同様な駆動になる。他の態様として、ドット反転駆動において、ＲおよびＧの極性配置は各色で市松配置とし、ＢおよびＷについては、縦方向または横方向に極性が同じ配置とする（以下、「疑似ドット反転駆動」という。）。疑似ドット反転駆動では、ＲおよびＧはドット反転駆動と同様な駆動になる。ドライバＩＣの正極アンプ、負極アンプの共用等により横方向の正極・負極出力が同数である場合には、ＢおよびＷの極性は縦方向に極性が同じ配列とする。すなわち、ＢおよびＷはカラム反転駆動と同様な駆動になる。
【００１２】
本実施の形態により、ＲＧＢＷ横ストライプ配列を適用した場合においてドット反転やカラム反転駆動に近い駆動となるため、フリッカ等を軽減し、画質を向上することできる。本実施の形態により、リークに強い駆動となるため歩留まり向上が見込める。
【実施例】
【００１３】
実施例に係るトリプルゲート画素配列のＲＧＢＷ方式の表示装置の構成について、図６Ａおよび図６Ｂを用いて説明する。
図６Ａは実施例に係る表示装置の構成を示す平面図である。図６Ｂは実施例に係る表示装置の画素の配置を示す図である。
表示パネル１１は、平面視は矩形状で、横方向（Ｘ方向）が縦方向（Ｙ方向）よりも長い、横長である。表示パネル１１には、複数の画素で構成される表示領域（アクティブ領域）ＡＡと、駆動回路や配線等を有する周辺領域（額縁領域）ＦＡがある。また、表示パネル１１は薄膜トランジスタ（ＴＦＴ）等が形成されるＴＦＴ基板（アレイ基板）とカラーフィルタ（ＣＦ）等が形成されるＣＦ基板（対向基板）を有する。ＴＦＴ基板とＣＦ基板の間に液晶層が挟持される。
【００１４】
表示領域ＡＡには、Ｒ、Ｇ、Ｂから構成される画素（ＲＧＢピクセル）１３ＢとＲ、Ｇ、Ｗから構成される画素（ＲＧＷピクセル）１３Ｗがある。ＲＧＢピクセル１３ＢとＲＧＷピクセル１３Ｗが１画素おきに配置される。副画素は、例えばＲ、Ｇ、ＢまたはＲ、Ｇ、Ｗの順で、縦方向（−Ｙ方向）に配置されている。ＲおよびＧは横方向（Ｘ方向）にそれぞれ同じ色の副画素が配置されている。言い換えると、ＲおよびＧは同一行に配置されている。ＢおよびＷは横方向（Ｘ方向）に交互に配置されている。言い換えると、ＢおよびＷは同一行に配置されている。１副画素は、横方向（Ｘ方向）が縦方向（Ｙ方向）よりも長い、横長のストライプ状である。表示領域ＡＡには、副画素を横にｎ個、縦にｍ個で、合計ｎ×ｍ個ある。表表示領域ＡＡは、画素を横にｎ個、縦にｍ／３個で、合計ｎ×ｍ／３個有する。ここで、ｎ、ｍは自然数であり、ｍは３の倍数（ｍ＝３ｍ’、ｍ’は自然数）である。
【００１５】
表示パネル１１の右側の周辺領域ＦＡにドライバＩＣ１２が１つ配置される。ドライバＩＣは、ゲート線（走査線）駆動回路とソース線（映像信号線）駆動回路の両方を有する。表示領域ＡＡには、ソース線ＳＬ（Ｓ１，Ｓ２，Ｓ３，Ｓ４，・・・，Ｓｎ−３，Ｓｎ−２，Ｓｎ−１，Ｓｎ）が、縦方向（列方向、Ｙ方向）に配置される画素に共通に、縦方向に延在する。ソース線ＳＬＬ（Ｓ１、Ｓ２、・・・、Ｓｎ−３、Ｓｎ−２）は、表示パネル１１の下側の周辺領域ＦＡの配線を経由してドライバＩＣ１２の下側（左側）の出力回路部１２Ｌによって駆動される。ソース線ＳＬＲ（Ｓ３、Ｓ４、・・・、Ｓｎ−１、Ｓｎ）は、表示パネル１１の上側の周辺領域ＦＡの配線を経由してドライバＩＣ１２の上側（右側）の出力回路部１２Ｒによって駆動される。すなわち、ソース線２本ごとに上側駆動と下側駆動が切り替わる。表示領域ＡＡには、ゲート線ＧＬ（Ｇ１，Ｇ２，Ｇ３，Ｇ４，Ｇ５，・・・，Ｇｍ−５，Ｇｍ−４，Ｇｍ−３，Ｇｍ−２，Ｇｍ−１，Ｇｍ）が、横方向（行方向、Ｘ方向）に配置されるピクセルに共通に、横方向に延在する。ゲート線ＧＬＲ（Ｇ１、Ｇ２、Ｇ３、Ｇ４、Ｇ５、Ｇ６、・・・）は、表示パネル１１の右側からドライバＩＣ１２の上側（右側）の出力回路部１２Ｒによって駆動される。ゲート線ＧＬＬ（Ｇｍ、Ｇｍ−１、Ｇｍ−２、Ｇｍ−３、Ｇｍ−４、Ｇｍ−５、・・・）は、表示パネル１１の右側からドライバＩＣ１２の下側（左側）の出力回路部１２Ｌによって駆動される。ゲート線Ｇ１はＲを、ゲート線Ｇ２はＧを、ゲート線Ｇ３はＢおよびＷを、駆動する。ゲート線は１画素当たり３本のトリプルゲートとなっている。ドライバＩＣ１２は、ソース信号（Ｓｏｕｒｃｅ＿１、・・・、Ｓｏｕｒｃｅ＿ｎ）およびゲート信号（Ｇａｔｅ＿１、・・・、Ｇａｔｅ＿ｍ）を生成する。ドライバＩＣ１２は、一つの半導体基板上にＣＭＯＳプロセス等で製造される半導体集積回路装置で、ＣＯＧ等によりＴＦＴ基板に実装される。ドライバＩＣ１２は矩形形状の半導体チップ上に端子を有し、その端子にソース線およびゲート線が接続される。したがって、ソース線ＳＬおよびゲート線ＧＬのそれぞれは、半導体チップの１辺を横切る。なお、ドライバＩＣ１２は、表示パネルの左側の周辺領域ＦＡに１つ配置されてもよい。
【００１６】
これによりドライバＩＣ１２のソース出力数を１／３とすることができるため、上下額縁に配線するソース線本数が１／３となる。トリプルゲートであるため、ゲート線の本数は３倍となるが、ドライバＩＣ１２が横置きであるため配線による額縁幅への影響はない。したがって、額縁領域の増加を抑えることができる。また、ゲート線の駆動回路をＴＦＴ基板上にＴＦＴ回路で形成する必要がない。
【００１７】
なお、ＴＦＴにアモルファスシリコン(α−Ｓｉ)を用いたときは、額縁領域のＴＦＴ基板上にＴＦＴ回路を形成することができないので、本実施例は好適である。
【００１８】
次に、ドライバＩＣの構成について図７および図８を参照して説明する。
図７は実施例に係るドライバＩＣの構成を示すブロック図である。ドライバＩＣ１２は、出力回路（ＯＣ）１２１、階調電圧生成回路１２２、ロジック回路１２３、不揮発性メモリ（ＮＶＭ）１２４を備える。階調電圧生成回路１２２は各１系統の正極階調生成部１２２Ｐと負極階調生成部１２２Ｎからなり、正極階調電圧（ＶＰ）、負極階調電圧（ＶＮ）を出力回路１２１に供給する。ロジック回路１２３は、ホストコントローラ（ＨＳＴ）２０からのＲＧＢのデータをＲＧＢＷのデータに変換する演算回路（ＡＲＣ）１２３１、極性制御回路（ＰＣＮＴ）１２３２、制御レジスタ（ＣＲ）１２３３等からなり、不揮発性メモリ１２４にはＲＧＢＷの各階調電圧値を記憶する。制御レジスタ１２３３は階調電圧値を格納し、極性制御回路１２３２は制御レジスタ１２３３の設定値に基づいて、階調電圧生成回路１２２の階調電圧設定を行う。極性制御回路１２３２から出力される第１の極性信号（ＰＳ１）は出力回路１２１に、第２の極性信号（ＰＳ２）は階調電圧生成回路１２２に入力される。演算回路１２３１から出力される階調データ（ＧＤ）は出力回路１２１に入力される。
【００１９】
図８は実施例に係るドライバＩＣの出力回路の２出力分の構成を示すブロック図である。出力回路１２１は、２つの出力端子Ｏ１、Ｏ２に対し、正極アンプ１２１１と負極アンプ１２１２、正極Ｄ／Ａ変換器（ＤＡＣＰ）１２１３と負極Ｄ／Ａ変換器（ＤＡＣＮ）１２１４をそれぞれ共有する。出力端子Ｏ１、Ｏ２は、ソース線Ｓ１、Ｓ２にそれぞれ接続される。正極Ｄ／Ａ変換器１２１３は、階調電圧生成回路１２２からの正極階調電圧（ＶＰ）と正極階調データ（ＧＤＰ）に基づいて、正極性のソース線信号を生成する。負極Ｄ／Ａ変換器（ＤＡＣＮ）１２１４は、階調電圧生成回路１２２からの負極階調電圧（ＶＮ）と負極階調データ（ＧＤＮ）に基づいて、負極性のソース線信号を生成する。極性制御回路１２３２からの第１の極性信号（ＰＳ１）は正極・負極出力を切り替えるスイッチ１２１５、２列分の階調データ（ＧＤ１、ＧＤ２）を正極・負極選択する階調データ選択回路（ＳＬＣＴＲ）１２１６に入力される。第１の極性信号（ＰＳ１）がハイレベル（Ｈ）のとき、スイッチ１２１５は、正極アンプ１２１１の出力を出力端子Ｏ１に出力し、負極アンプ１２１２の出力を出力端子Ｏ２に出力する。第１の極性信号（ＰＳ１）がロウレベル（Ｌ）のとき、スイッチ１２１５は、正極アンプ１２１１の出力を出力端子Ｏ２に出力し、負極アンプ１２１２の出力を出力端子Ｏ１に出力する。第１の極性信号（ＰＳ１）がＨのとき、階調データ選択回路１２１６は、階調データ（ＧＤ１）を正極諧調データ（ＧＤＰ）として正極Ｄ／Ａ変換器１２１３に出力し、階調データ（ＧＤ２）を負極諧調データ（ＧＤＮ）として負極Ｄ／Ａ変換器１２１４に出力する。第１の極性信号（ＰＳ１）がＬのとき、階調データ選択回路１２１６は、階調データ（ＧＤ１）を負極諧調データ（ＧＤＮ）として負極Ｄ／Ａ変換器１２１４に出力し、階調データ（ＧＤ２）を正極諧調データ（ＧＤＰ）として正極Ｄ／Ａ変換器１２１３に出力する。なお、スイッチ１２１７は、非表示時にソース線ＳＬの電位をＧＮＤに固定する場合に使用される。したがって、表示時は、スイッチ１２１７は、正極アンプ１２１１と負極アンプ１２１２の出力をスイッチ１２１５に出力する。
【００２０】
実施例に係る疑似ピクセル反転駆動について、図９Ａから図９Ｄを参照して以下説明する。
図９Ａは実施例に係る疑似ピクセル反転駆動（奇数フレーム）を示す図である。図９Ｂは実施例に係る疑似ピクセル反転駆動（偶数フレーム）を示す図である。図９Ｃは実施例に係る疑似ピクセル反転駆動（奇数フレーム）の動作を示す図である。図９Ｄは実施例に係る疑似ピクセル反転駆動（偶数フレーム）の動作を示す図である。図９ＥはＲＧＢ横ストライプ配列におけるピクセル反転駆動の動作を示す図である。
図９Ａおよび図９Ｂに示すように、１画素のうちＲとＧについては同極性とし、ＲとＧ各々について、あるフレームにおける極性配置は市松状とする。ＢとＷについては縦方向に同極性とする。図９Ａに示すように、奇数フレームでは、ソース線Ｓ１の列においてＢとＷはいずれも正極性であり、ソース線Ｓ２の列においてＢとＷはいずれも負極性である。図９Ｂに示すように、偶数フレームでは、ソース線Ｓ１の列においてＢとＷはいずれも負極性であり、ソース線Ｓ２の列においてＢとＷはいずれも正極性である。これによりＢとＷは、あるフレームにおける極性が全て同一となってしまうことを防ぐことができるため、極性間の輝度差によるフリッカを軽減することができる。
【００２１】
実施例に係る表示装置の疑似ピクセル反転駆動の動作をＲＧＢ横ストライプ配列のピクセル反転駆動と比較して説明する。なお、ドライバＩＣ１２はＲＧＢ横ストライプ配列のピクセル反転駆動も行うことができる。
まず、ＲＧＢ横ストライプ配列のピクセル反転駆動について、図４Ａ、図４Ｂおよび図９Ｅを参照して説明する。Ｒ、Ｇ、Ｂの順で走査する場合において、第１の極性信号（ＰＳ１）のＨ／Ｌにより階調データ選択回路１２１６およびスイッチ１２１５を制御する。第１の極性信号（ＰＳ１）がＨの場合、奇数番目のソース線ＳＬ（図４Ａおよび図４Ｂでは映像信号線Ｘ１）への奇数出力（Ｓ＿ＯＤＤ）が正極（＋）、偶数番目のソース線ＳＬ（図４Ａおよび図４Ｂでは映像信号線Ｘ２）への偶数出力（Ｓ＿ＥＶＥＮ）が負極（−）となるようスイッチ１２１５および階調データ選択回路１２１６を制御する。第１の極性信号（ＰＳ１）がＬの場合、奇数番目のソース線ＳＬ（映像信号線Ｘ１）への奇数出力（Ｓ＿ＯＤＤ）が負極（−）、偶数番目のソース線ＳＬ（映像信号線Ｘ２）への偶数出力（Ｓ＿ＥＶＥＮ）が正極（＋）となるようスイッチ１２１５および階調データ選択回路１２１６を制御する。また、第２の極性信号（ＰＳ２）により階調電圧生成回路１２２の正極階調電圧（ＶＰ）・負極階調電圧（ＶＮ）を制御する。ＲＧＢ横ストライプ配列の場合、行方向の色が単一であるため、階調電圧生成回路１２２はＲの行ではＲの正極・負極、Ｇの行ではＧの正極・負極、Ｂの行ではＢの正極・負極階調電圧設定により階調電圧を生成するため、第２の極性信号（ＰＳ２）はＨに固定される。
【００２２】
次に、実施例に係る疑似ピクセル反転駆動について、図９Ｃおよび図９Ｄを参照して説明する。奇数番目のソース線ＳＬ（ソース線Ｓ１）は、Ｒ、Ｇ、Ｂ、Ｒ、Ｇ、Ｗの順で走査する。偶数番目のソース線ＳＬ（ソース線Ｓ２）は、Ｒ、Ｇ、Ｗ、Ｒ、Ｇ、Ｂの順で走査する。図９ＥのＲＧＢ横ストライプ配列のピクセル反転駆動と同様に、第１の極性信号（ＰＳ１）のＨ／Ｌにより階調データ選択回路１２１６およびスイッチ１２１５を制御する。図９ＥのＲＧＢ横ストライプ配列のピクセル反転駆動と異なるのは、ＲＧＢＷ横ストライプ配列の場合Ｂを間引いてＷとしているため、第２の極性信号（ＰＳ２）により階調電圧生成回路１２２の正極生成回路１２２Ｐと負極生成回路１２２Ｎの制御が必要となる。第２の極性信号（ＰＳ２）がＨの場合、正極をＢ、負極をＷの階調とし、第２の極性信号（ＰＳ２）がＬの場合、正極をＷ、負極をＢの階調とする。図９Ｃおよび図９Ｄに示すように、奇数フレームと偶数フレームでは、第１の極性信号（ＰＳ１）のＨ／Ｌは逆であり、第２の極性信号（ＰＳ２）のＨ／ＬはＢとＷにおいて逆である。
以上により、ＲとＧの各極性配置を市松状とし、ＢとＷの各極性配置を縦方向に同一とすることができる。ＲおよびＧはピクセル反転駆動され、ＢおよびＷはカラム反転駆動される。
【００２３】
＜変形例１＞
実施例の変形例（変形例１）に係る疑似ピクセル反転駆動について図１０Ａから図１０Ｃを参照して以下説明する。
図１０Ａは変形例１に係る疑似ピクセル反転駆動（奇数フレーム）を示す図である。図１０Ｂは変形例１に係る疑似ピクセル反転駆動（偶数フレーム）を示す図である。図１０Ｃは変形例１に係る疑似ピクセル反転駆動（奇数フレーム）の動作を示す図である。
実施例と変形例１との差異はＢとＷの極性が逆になっている。図１０Ａに示すように、奇数フレームでは、ソース線Ｓ１の列においてＢとＷはいずれも負極性であり、ソース線Ｓ２の列においてＢとＷはいずれも正極性である。図１０Ｂに示すように、偶数フレームでは、ソース線Ｓ１の列においてＢとＷはいずれも正極性であり、ソース線Ｓ２の列においてＢとＷはいずれも負極性である。これによりＢとＷは、あるフレームにおける極性が全て同一となってしまうことを防ぐことができるため、極性間の輝度差によるフリッカを軽減することができる。
【００２４】
次に、変形例１に係る疑似ピクセル反転駆動の動作を実施例に係るピクセル反転駆動と比較して説明する。
図１０Ｃに示すように、変形例１に係る疑似ピクセル反転駆動は、図９Ｃの実施例のピクセル反転駆動と同様に、第１の極性信号（ＰＳ１）のＨ／Ｌにより階調データ選択回路１２１６およびスイッチ１２１５を制御し、第２の極性信号（ＰＳ２）により階調電圧生成回路１２２の正極生成回路１２２Ｐと負極生成回路１２２Ｎを制御する。図９Ｃの実施例の疑似ピクセル反転駆動との差異は、第１の極性信号（ＰＳ１）がＨ／Ｌとなる箇所および第２の極性信号（ＰＳ２）がＨ／Ｌとなる箇所が異なるのみである。すなわち、出力回路１２１や階調電圧生成回路１２２を変更することなく、極性制御回路１２３２の機能のみを変更するだけで、実現することができる。例えば、ホストコントローラ２０または不揮発性メモリ１２４からデータをレジスタに設定することにより、極性制御回路１２３２の機能を変更するようにしてもよい。
以上により、ＲとＧの各極性配置を市松状とし、ＢとＷの各極性配置を縦方向に同一とすることができる。ＲおよびＧはピクセル反転駆動され、ＢおよびＷはカラム反転駆動される。
【００２５】
＜変形例２＞
実施例の変形例（変形例２）に係る疑似ドット反転駆動について図１１Ａから図１１Ｃを参照して以下説明する。
図１１Ａは変形例２に係る疑似ドット反転駆動（奇数フレーム）を示す図である。図１１Ｂは変形例２に係る疑似ドット反転駆動（偶数フレーム）を示す図である。図１１Ｃは変形例２に係る疑似ドット反転駆動（奇数フレーム）の動作を示す図である。
図１１Ａおよび図１１Ｂに示すように、１画素のうちＲとＧについては異極性とし、ＲとＧ各々について、あるフレームにおける極性配置は市松状とする。ＢとＷについては縦方向に同極性とする。図１１Ａに示すように、奇数フレームでは、ソース線Ｓ１の列においてＢとＷはいずれも正極性であり、ソース線Ｓ２の列においてＢとＷはいずれも負極性である。図１１Ｂに示すように、偶数フレームでは、ソース線Ｓ１の列においてＢとＷはいずれも負極性であり、ソース線Ｓ２の列においてＢとＷはいずれも正極性である。これによりＢとＷは、あるフレームにおける極性が全て同一となってしまうことを防ぐことができるため、極性間の輝度差によるフリッカを軽減することができる。
【００２６】
次に、変形例２に係る疑似ドット反転駆動の動作を実施例に係るピクセル反転駆動と比較して説明する。
図１１Ｃに示すように、変形例２に係る疑似ドット反転駆動は、図９Ｃの実施例のピクセル反転駆動と同様に、第１の極性信号（ＰＳ１）のＨ／Ｌにより階調データ選択回路１２１６およびスイッチ１２１５を制御し、第２の極性信号（ＰＳ２）により階調電圧生成回路１２２の正極生成回路１２２Ｐと負極生成回路１２２Ｎを制御する。図９Ｃの実施例のピクセル反転駆動との差異は、第１の極性信号（ＰＳ１）がＨ／Ｌとなる箇所が異なるのみである。すなわち、出力回路１２１や階調電圧生成回路１２２を変更することなく、極性制御回路１２３２の機能のみを変更するだけで、実現することができる。例えば、ホストコントローラ２０または不揮発性メモリ１２４からデータをレジスタに設定することにより、極性制御回路１２３２の機能を変更するようにしてもよい。
以上により、ＲとＧの各極性配置を市松状とし、ＢとＷの各極性配置を縦方向に同一とすることができる。ＲおよびＧはドット反転駆動され、ＢおよびＷはカラム反転駆動される。
【００２７】
＜変形例３＞
実施例の変形例（変形例３）に係る疑似ドット反転駆動について図１２Ａから図１２Ｃを参照して以下説明する。
図１２Ａは変形例３に係る疑似ドット反転駆動（奇数フレーム）を示す図である。図１２Ｂは変形例３に係る疑似ドット反転駆動（偶数フレーム）を示す図である。図１２Ｃは変形例３に係る疑似ドット反転駆動（奇数フレーム）の動作を示す図である。
変形例２との差異はＢとＷの極性が逆になっている。図１２Ａおよび図１２Ｂに示すように、１画素のうちＲとＧについては異極性とし、ＲとＧ各々について、あるフレームにおける極性配置は市松状とする。ＢとＷについては縦方向に同極性とする。図１２Ａに示すように、奇数フレームでは、ソース線Ｓ１の列においてＢとＷはいずれも負極性であり、ソース線Ｓ２の列においてＢとＷはいずれも正極性である。図１２Ｂに示すように、偶数フレームでは、ソース線Ｓ１の列においてＢとＷはいずれも正極性であり、ソース線Ｓ２の列においてＢとＷはいずれも負極性である。これによりＢとＷは、あるフレームにおける極性が全て同一となってしまうことを防ぐことができるため、極性間の輝度差によるフリッカを軽減することができる。
【００２８】
次に、変形例３に係る疑似ドット反転駆動の動作を実施例に係るピクセル反転駆動と比較して説明する。
図１２Ｃに示すように、変形例３に係る疑似ドット反転駆動は、図１１Ｃの変形例２のドット反転駆動と同様に、第１の極性信号（ＰＳ１）のＨ／Ｌにより階調データ選択回路１２１６およびスイッチ１２１５を制御し、第２の極性信号（ＰＳ２）により階調電圧生成回路１２２の正極生成回路１２２Ｐと負極生成回路１２２Ｎを制御する。図１１Ｃの変形例２のドット反転駆動との差異は、第１の極性信号（ＰＳ１）がＨ／Ｌとなる箇所およびが第２の極性信号（ＰＳ２）がＨ／Ｌとなる箇所が異なるのみである。すなわち、出力回路１２１や階調電圧生成回路１２２を変更することなく、極性制御回路１２３２の機能のみを変更するだけで、実現することができる。例えば、ホストコントローラ２０または不揮発性メモリ１２４からデータをレジスタに設定することにより、極性制御回路１２３２の機能を変更するようにしてもよい。
以上により、ＲとＧの各極性配置を市松状とし、ＢとＷの各極性配置を縦方向に同一とすることができる。ＲおよびＧはドット反転駆動され、ＢおよびＷはカラム反転駆動される。
【００２９】
実施例および変形例に係る表示装置の全体構成は、図１に示すような比較例に係る表示装置の構成であってもよい。
【符号の説明】
【００３０】
１０、１０Ｒ・・・表示装置
１１，１１Ｒ・・・表示パネル
１２、１２ａ・・・ドライバＩＣ
１２ｂ・・・走査回路（ＳＣＣ）
１２１・・・出力回路（ＯＣ）
１２１１・・・正極アンプ
１２１２・・・負極アンプ
１２１３・・・正極Ｄ／Ａ変換器（ＤＡＣＰ）
１２１４・・・負極Ｄ／Ａ変換器（ＤＡＣＮ）
１２１５、１２１７・・・スイッチ
１２１６・・・階調データ選択回路（ＳＬＣＴＲ）
１２２・・・階調電圧生成回路
１２２Ｐ・・・正極階調生成部
１２２Ｎ・・・負極階調生成部
１２３・・・ロジック回路
１２３１・・・演算回路（ＡＲＣ）
１２３２・・・極性制御回路（ＰＣＮＴ）
１２３３・・・制御レジスタ（ＣＲ）
１２４・・・不揮発性メモリ（ＮＶＭ）
１３Ｂ、１３Ｗ・・・画素（ピクセル）
２０・・・ホストコントローラ（ＨＳＴ）
ＡＡ、ＡＲ・・・表示領域
ＦＡ、ＦＲ・・・周辺領域
ＧＬ、Ｘ・・・ゲート線（走査線）
ＳＬ、Ｙ・・・ソース線（映像信号線）
【図１】
2015118113.tif 000003
【図２Ａ】
2015118113.tif 000004
【図２Ｂ】
2015118113.tif 000005
【図３Ａ】
2015118113.tif 000006
【図３Ｂ】
2015118113.tif 000007
【図４Ａ】
2015118113.tif 000008
【図４Ｂ】
2015118113.tif 000009
【図５Ａ】
2015118113.tif 000010
【図５Ｂ】
2015118113.tif 000011
【図６Ａ】
2015118113.tif 000012
【図６Ｂ】
2015118113.tif 000013
【図７】
2015118113.tif 000014
【図８】
2015118113.tif 000015
【図９Ａ】
2015118113.tif 000016
【図９Ｂ】
2015118113.tif 000017
【図９Ｃ】
2015118113.tif 000018
【図９Ｄ】
2015118113.tif 000019
【図９Ｅ】
2015118113.tif 000020
【図１０Ａ】
2015118113.tif 000021
【図１０Ｂ】
2015118113.tif 000022
【図１０Ｃ】
2015118113.tif 000023
【図１１Ａ】
2015118113.tif 000024
【図１１Ｂ】
2015118113.tif 000025
【図１１Ｃ】
2015118113.tif 000026
【図１２Ａ】
2015118113.tif 000027
【図１２Ｂ】
2015118113.tif 000028
【図１２Ｃ】
2015118113.tif 000029